(57)【要約】      （修正有）【課題】現場での設置作業を容易に行なうことができ、大きな荷重が加わっても十分な剛性を有し、異なる前後左右方向の床躯体の揺れ動きに追従することができる床用目地装置を提供する。【解決手段】一方の目地部側床躯体２に後端部が取付けられた筒部材４、筒部材４の先端部より突出する中間筒状部材６、中間筒状部材６の先端部より出没する他方の部材１０とからなる一方の伸縮梁１１、反対向きの他方の伸縮梁１２とを備える２組以上の伸縮梁１３と、それぞれの伸縮梁１１，１２に取付けられた補助梁１５と、筒部材４、補助梁１５に配置された目地プレート支持梁１６と、目地プレート支持梁１６を中央部に枢支する枢支手段１７と、目地プレート支持梁１６を所定間隔に保持する保持手段２１と、目地プレート支持梁１６に取付けられた床目地プレート２３と、中央部の目地プレート支持梁１６に中央部が取付けられた中央床目地プレート２４とで構成している。【選択図】図１
2011047123.tif 000002
【特許請求の範囲】
【請求項１】
一方の目地部側床躯体に後端部が少なくとも水平方向に回動可能に取付けられた一方の筒部材、この一方の筒部材の先端部より突出する中間筒状部材、この中間筒状部材の先端部より出没する他方の目地部側床躯体に先端部が少なくとも水平方向に回動可能に取付けられた他方の部材とからなる一方の伸縮梁、この一方の伸縮梁と少し間隔をおいて、該一方の伸縮梁とは反対向きとなるように両躯体に取付けられた一方の伸縮梁と同構成の他方の伸縮梁とを備える２組以上の伸縮梁と、この２組以上の伸縮梁の一方の伸縮梁の中間筒状部材の先端部と他方の伸縮梁の中間筒状部材の先端部に、上部が一方の筒部材の上部とほぼ同一面となるように両端部が水平方向に回動可能にそれぞれ取付けられた補助梁と、前記２組以上の伸縮梁の一方の筒部材および前記補助梁に所定間隔で配置された複数個の目地プレート支持梁と、この複数個の目地プレート支持梁の中央部の目地プレート支持梁を、前記補助梁のほぼ中央部に枢支する枢支手段と、前記複数個の目地プレート支持梁を所定間隔に保持する保持手段と、前記複数個の目地プレート支持梁の中央部の目地プレート支持梁を除く部位にそれぞれ取付けられた隣りと所定寸法重なり合う複数個の床目地プレートと、前記中央部の目地プレート支持梁に中央部が取付けられた隣りの床目地プレートを覆う中央床目地プレートとからなる床用目地装置。
【請求項２】
一方の伸縮梁と他方の伸縮梁は一方の筒部材内をローラーを介してスライド移動する中間筒状部材と、この中間筒状部材内をローラーを介してスライド移動する他方の部材とで構成されていることを特徴とする請求項１記載の床用目地装置。
【請求項３】
保持手段はパンタグラフ形状の均等伸縮リンク、あるいは複数個の目地プレート支持梁を少なくとも２組以上の伸縮梁の一方の筒部材に枢支する複数個の枢支ピンで構成されていることを特徴とする請求項１記載の床用目地装置。
【請求項４】
一方の伸縮梁と他方の伸縮梁の両端部は上下方向に回動可能に取付けられていることを特徴とする請求項１記載の床用目地装置。
【発明の詳細な説明】
【技術分野】
【０００１】
本発明は目地部を介して設けられた左右の床躯体間の目地部を覆う床用目地装置に関する。
【背景技術】
【０００２】
従来、目地部を介して建てられた左右の建物の目地部側の床躯体に取付けられた一対のレールと、この一対のレールに両端部がスライド移動可能に支持される少なくとも２個以上の傾斜状態で配置される支持バーと、この少なくとも２個以上の支持バーに所定間隔で枢支された複数本の目地プレート支持バーと、この複数本の目地プレート支持バーにそれぞれ取付けられた隣りと所定寸法重なり合い、目地部の寸法が広くなったり、狭くなっても重なり状態を保つことができる複数枚の目地プレートとを備える床用目地装置が考えられている。
【０００３】
しかしながら、このような床用目地装置は、設置が容易に行なうことができるが、複数枚の目地プレートに大きな荷重が加わる所では十分な荷重を２個以上の支持バーで受けることができず、使用することができないという欠点があった。
【先行技術文献】
【特許文献】
【０００４】
【特許文献１】特許第３６６０５６７号
【発明の概要】
【発明が解決しようとする課題】
【０００５】
本発明は以上のような従来の欠点に鑑み、現場での設置作業を容易に行なうことができるとともに、大きな荷重が加わっても十分な剛性を有し、異なる前後左右方向に左右の床躯体が揺れ動いても、その揺れ動きに追従することができる床用目地装置を提供することを目的としている。
【０００６】
また、本発明の他の目的は左右の床躯体が不等沈下した場合にも、左右の床躯体の目地部側端部と目地プレートとの間に段差が生じたりすることなく、安全に使用することができる床用目地装置を提供することを目的としている。
【０００７】
本発明の前記ならびにそのほかの目的と新規な特徴は次の説明を添付図面と照らし合わせて読むと、より完全に明らかになるであろう。
【０００８】
ただし、図面はもっぱら解説のためのものであって、本発明の技術的範囲を限定するものではない。
【課題を解決するための手段】
【０００９】
上記目的を達成するために、本発明は一方の目地部側床躯体に後端部が少なくとも水平方向に回動可能に取付けられた一方の筒部材、この一方の筒部材の先端部より突出する中間筒状部材、この中間筒状部材の先端部より出没する他方の目地部側床躯体に先端部が少なくとも水平方向に回動可能に取付けられた他方の部材とからなる一方の伸縮梁、この一方の伸縮梁と少し間隔をおいて、該一方の伸縮梁とは反対向きとなるように両躯体に取付けられた一方の伸縮梁と同構成の他方の伸縮梁とを備える２組以上の伸縮梁と、この２組以上の伸縮梁の一方の伸縮梁の中間筒状部材の先端部と他方の伸縮梁の中間筒状部材の先端部に、上部が一方の筒部材の上部とほぼ同一面となるように両端部が水平方向に回動可能にそれぞれ取付けられた補助梁と、前記２組以上の伸縮梁の一方の筒部材および前記補助梁に所定間隔で配置された複数個の目地プレート支持梁と、この複数個の目地プレート支持梁の中央部の目地プレート支持梁を、前記補助梁のほぼ中央部に枢支する枢支手段と、前記複数個の目地プレート支持梁を所定間隔に保持する保持手段と、前記複数個の目地プレート支持梁の中央部の目地プレート支持梁を除く部位にそれぞれ取付けられた隣りと所定寸法重なり合う複数個の床目地プレートと、前記中央部の目地プレート支持梁に中央部が取付けられた隣りの床目地プレートを覆う中央床目地プレートとで床用目地装置を構成している。
【発明の効果】
【００１０】
以上の説明から明らかなように、本発明にあっては次に列挙する効果が得られる。
（１）複数個の目地プレート支持梁の中央部の目地プレート支持梁を除く部位にそれぞれ取付けられた隣りと所定寸法重なり合う複数個の床目地プレートと、中央部の目地プレート支持梁に中央部が取付けられた隣りの床目地プレートを覆う中央床目地プレートとで目地部を覆っているので、従来の大きな１個の床目地プレートを用いるものに比べ、クレーン等の機械を使用することなく、設置や輸送作業が容易にできる。
（２）一方の目地部側床躯体に後端部が少なくとも水平方向に回動可能に取付けられた一方の筒部材、この一方の筒部材の先端部より突出する中間筒状部材、この中間筒状部材の先端部より出没する他方の目地部側床躯体に先端部が少なくとも水平方向に回動可能に取付けられた他方の部材とからなる一方の伸縮梁、この一方の伸縮梁と少し間隔をおいて、該一方の伸縮梁とは反対向きとなるように両躯体に取付けられた一方の伸縮梁と同構成の他方の伸縮梁とを備える２組以上の伸縮梁を用いているので、一方の床躯体と他方の床躯体とが地震により前後左右方向に揺れ動いても、２組以上の伸縮梁が伸縮するとともに、両端部の取付部が水平方向に回動して、その揺れ動きを吸収することができる。
（３）２組以上の伸縮梁、補助梁、複数個の目地プレート支持梁で、複数個の床目地プレートおよび中央床目地プレートを支持するので、十分な強度が得られる。
（４）請求項２も前記（１）〜（３）と同様な効果が得られるとともに、よりスムーズに一方の伸縮梁と他方の伸縮梁とを伸縮させることができる。
（５）請求項３も前記（１）〜（３）と同様な効果が得られるとともに、保持手段で、複数個の床目地プレートを均等にスライド移動させて支持することができる。
【００１１】
したがって、安全で、どこでも均等に支持することができる。
（６）請求項４も前記（１）〜（３）と同様な効果が得られるとともに、一方の床躯体と他方の床躯体とが不等沈下した場合にでも、段差が生じるのを防止して安全に使用することができる。
【図面の簡単な説明】
【００１２】
【図１】本発明を実施するための第１の形態の平面図。
【図２】図１の２−２線に沿う断面図。
【図３】本発明を実施するための第１の形態の伸縮梁の取付け状態の平面図。
【図４】本発明を実施するための第１の形態の伸縮梁の取付け状態の正面図。
【図５】本発明を実施するための第１の形態の一方の伸縮梁の説明図。
【図６】本発明を実施するための第１の形態の補助梁の説明図。
【図７】本発明を実施するための第１の形態の保持手段の説明図。
【図８】本発明を実施するための第１の形態の目地部が狭くなった動作説明図。
【図９】本発明を実施するための第１の形態の目地部が広くなった動作説明図。
【図１０】本発明を実施するための第１の形態の異なる前後方向の動作説明図。
【図１１】本発明を実施するための第１の形態の不等沈下した状態の動作説明図。
【図１２】本発明を実施するための第２の形態の平面図。
【図１３】図１２の１３−１３線に沿う断面図。
【図１４】本発明を実施するための第２の形態の伸縮梁の取付け状態の説明図。
【図１５】本発明を実施するための第２の形態の後端部取付具の説明図。
【図１６】本発明を実施するための第２の形態の先端部取付具の説明図。
【図１７】本発明を実施するための第３の形態の平面図。
【図１８】図１７の１８−１８線に沿う断面図。
【図１９】本発明を実施するための第３の形態の複数個の目地プレート支持梁の取付け状態を示す説明図。
【発明を実施するための形態】
【００１３】
以下、図面に示す本発明を実施するための形態により、本発明を詳細に説明する。
【００１４】
図１ないし図１１に示す本発明を実施するための第１の形態において、１は本発明の床用目地装置で、この床用目地装置１は一方の目地部側床躯体２に後端部が後端部取付具３で少なくとも水平方向に回動可能に取付けられた一方の筒部材４、この一方の筒部材４の先端部より複数個のローラー５を介して出没する中間筒状部材６、この中間筒状部材６の先端部より複数個のローラー７を介して出没する他方の目地部側床躯体８に先端部が先端部取付具９で少なくとも水平方向に回動可能に取付けられた筒状あるいは板状の他方の部材１０とからなる一方の伸縮梁１１、この一方の伸縮梁１１と少し間隔をおいて、該一方の伸縮梁１１とは反対向きとなるように両躯体２、８に取付けられた一方の伸縮梁１１と同構成の他方の伸縮梁１２とを備える２組以上の伸縮梁１３、１３と、この２組以上の伸縮梁１３、１３の一方の伸縮梁１１の中間筒状部材６の先端部と他方の伸縮梁１２の中間筒状部材６の先端部に、上部が一方の筒部材４の上部とほぼ同一面となるように両端部が水平方向に回動可能にそれぞれ枢支ピン１４、１４で取付けられた補助梁１５、１５と、前記２組以上の伸縮梁１３、１３の一方の筒部材４、４および前記補助梁１５、１５に所定間隔で配置された複数個の目地プレート支持梁１６と、この複数個の目地プレート支持梁１６の中央部の目地プレート支持梁１６を前記補助梁１５、１５のほぼ中央部に枢支する枢支手段としての枢支ピン１７、１７と、前記複数個の目地プレート支持梁１６を所定間隔に保持する一端部が一方の目地部側床躯体２に枢支ピン１８で枢支され、他端が他方の目地部側床躯体８に枢支ピン１９で枢支されたパンタグラフ形状の均等伸縮リンク２０、２０を用いた保持手段２１、２１と、前記複数個の目地プレート支持梁１６の中央部の目地プレート支持梁１６を除く部位の目地プレート支持梁１６にそれぞれビス２２で固定的に取付けられた隣りと所定寸法重なり合う複数個の床目地プレート２３と、前記中央部の目地プレート支持梁１６に中央部がビス２２で固定的に取付けられた隣りの床目地プレート２３、２３を覆う中央床目地プレート２４とで構成されている。
【００１５】
前記後端部取付具３は一方の目地部側床躯体２に複数本のタッピングビス２５等で固定される軸心が垂直方向の軸受２６が形成された固定金具２７と、この固定金具２７の軸受２６に回動可能に取付けられる軸２８を有し、上部にボルト挿入孔２９、２９が形成されたチャンネル状の受台３０を有する可動金具３１と、この可動金具３１の受台３０に上下方向に回動できるようにボルト３２で支持された、前記一方の筒部材４の上部後端部より後方へ突出するボルト挿入孔３３が形成された取付片３４とで構成されている。
【００１６】
前記先端部取付具９は他方の目地部側床躯体８に複数本のタッピングビス２５等で固定される軸心が垂直方向の軸受３５が形成された固定金具３６と、この固定金具３６の軸受３５に回動可能に取付けられる軸３７を有し、上部にボルト挿入孔３８、３８が形成されたチャンネル状の受台３９を有する可動金具４０と、この可動金具４０の受台３９に上下方向に回動できるようにボルト４１で支持された、前記他方の部材１０の上部先端部より前方へ突出するボルト挿入孔４２が形成された取付片４３とで構成されている。
【００１７】
上記構成の床用目地装置１は地震で目地部４４が狭くなると、図８に示すように２組以上の伸縮梁１３、１３が収縮するとともに、この２組以上の伸縮梁１３、１３の上部に所定間隔で配置されている複数個の目地プレート支持梁１６はパンタグラフ形状の保持手段２１、２１で均等な小さな間隔となるようにスライド移動し、複数個の床目地プレート２３の重なりが大きくなるように移動して、その揺れ動きを吸収する。
【００１８】
地震で目地部４４が広くなると、図９に示すように２組以上の伸縮梁１３、１３が伸長するとともに、この２組以上の伸縮梁１３、１３の上部に所定間隔で配置されている複数個の目地プレート支持梁１６はパンタグラフ形状の保持手段２１、２１で均等な大きな間隔となるようにスライド移動し、複数個の床目地プレート２３の重なりが小さくなるように移動して、その揺れ動きを吸収する。
【００１９】
地震で、一方の床躯体２と他方の床躯体８とが異なる前後方向に揺れ動いた場合、図１０に示すように２組以上の伸縮梁１３、１３の一方の目地部側床躯体２の後端部取付具３と先端部取付具９および、他方の目地部側床躯体８の後端部取付具３と先端部取付具９の部分で水平方向に回動し、パンタグラフ形状の保持手段２１、２１、複数個の目地プレート支持梁１６および複数個の床目地プレート２３を前後方向へスライド移動させて、その揺れ動きを吸収する。
【００２０】
なお、一方の床躯体２と他方の床躯体８が不等沈下した場合、図１１に示すように２組以上の伸縮梁１３、１３の一方の床躯体２と他方の床躯体８との後端部取付具３および先端部取付具９が上下方向に回動して、一方の床躯体２と他方の床躯体８との間に、段差を生じさせるのを効率よく阻止することができる。
【００２１】
[発明を実施するための異なる形態]
次に、図１２ないし図１９に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２２】
図１２ないし図１６に示す本発明を実施するための第２の形態において、前記本発明を実施するための第１の形態と主に異なる点は、可動金具３１Ａの上部に一方の筒部材４の上部後端部より突出するボルト挿入孔４５を有する取付片４６を上下方向にボルト４７で回動可能に取付けるボルト挿入孔４８を有する一対の取付片４９、４９を形成した後端部取付具３Ａと、可動金具４０Ａの上部に他方の部材１０の上部先端部より突出するボルト挿入孔５０を有する取付片５１を上下方向にボルト５２で回動可能に取付けるボルト挿入孔５３を有する一対の取付片５４、５４を形成した先端部取付具９Ａを用いた、２組以上の伸縮梁１３Ａ、１３Ａを用いた点で、このような２組以上の伸縮梁１３Ａ、１３Ａを用いて構成した床用目地装置１Ａにしても、前記本発明を実施するための第１の形態と同様な作用効果が得られる。
【００２３】
図１７ないし図１９に示す本発明を実施するための第３の形態において、前記本発明を実施するための第１の形態と主に異なる点は、複数個の目地プレート支持梁１６を補助梁１５、１５および一方の筒部材４、４に所定間隔となるように少なくとも１本を２本の枢支ピン５５、５５で枢支した保持手段２１Ａを用いた点で、このような保持手段２１Ａを用いて構成した床用目地装置１Ｂにしても、前記本発明を実施するための第１の形態と同様な作用効果が得られる。  
【００２４】
なお、前記本発明を実施する各形態では後端部取付具３、３Ａおよび先端部取付具９、９Ａで、一方の伸縮梁１１を水平方向および上下方向に回動できるものについて説明したが、本発明はこれに限らず、水平方向にだけ回動できる後端部取付具や先端部取付具を用いてもよい。
【００２５】
また、前記本発明を実施する各形態では２組以上の伸縮梁１３、１３および１３Ａ、１３Ａを用いたものについて説明したが、本発明はこれに限らず、最低２組が必要で、それ以上の数は目地部の長さ寸法に応じて使用される。
【産業上の利用可能性】
【００２６】
本発明は目地部を介して設けられた一方の床躯体と他方の床躯体とを接続する床用目地装置を製造する産業で利用される。
【符号の説明】
【００２７】
１、１Ａ、１Ｂ：床用目地装置、２：一方の床躯体、
３、３Ａ：後端部取付具、      ４：一方の筒部材、
５：ローラー、                ６：中間筒状部材、
７：ローラー、                ８：他方の床躯体、
９、９Ａ：先端部取付具、    １０：他方の部材、
１１：一方の伸縮梁、        １２：他方の伸縮梁、
１３、１３Ａ：伸縮梁、      １４：枢支ピン、
１５：補助梁、              １６：目地プレート支持梁、
１７：枢支手段としての枢支ピン、
１８：枢支ピン、            １９：枢支ピン、
２０：均等伸縮リンク、      ２１、２１Ａ：保持手段、
２２：ビス、                ２３：床用目地プレート、
２４：中央床目地プレート、  ２５：タッピングビス、
２６：軸受、                ２７：固定金具、
２８：軸、                  ２９：ボルト挿入孔、
３０：受台、                ３１、３１Ａ：可動金具、
３２：ボルト、              ３３：ボルト挿入孔、
３４：取付片、              ３５：軸受、
３６：固定金具、            ３７：軸、
３８：ボルト挿入孔、        ３９：受台、
４０、４０Ａ：可動金具、    ４１：ボルト、
４２：ボルト挿入孔、        ４３：取付片、
４４：目地部、              ４５：ボルト挿入孔、
４６：取付片、              ４７：ボルト、
４８：ボルト挿入孔、        ４９：一対の取付片、
５０：ボルト挿入孔、        ５１：取付片、
５２：ボルト、              ５３：ボルト挿入孔、
５４：一対の取付片、        ５５：枢支ピン。
【図１】
2011047123.tif 000003
【図２】
2011047123.tif 000004
【図３】
2011047123.tif 000005
【図４】
2011047123.tif 000006
【図５】
2011047123.tif 000007
【図６】
2011047123.tif 000008
【図７】
2011047123.tif 000009
【図８】
2011047123.tif 000010
【図９】
2011047123.tif 000011
【図１０】
2011047123.tif 000012
【図１１】
2011047123.tif 000013
【図１２】
2011047123.tif 000014
【図１３】
2011047123.tif 000015
【図１４】
2011047123.tif 000016
【図１５】
2011047123.tif 000017
【図１６】
2011047123.tif 000018
【図１７】
2011047123.tif 000019
【図１８】
2011047123.tif 000020
【図１９】
2011047123.tif 000021